(57)【要約】      （修正有）【課題】学校・公民館等の公共施設における教室・会議室・講堂等の多数の人間が集まる場所において、大型で薄型の表示装置に対する転倒防止機能等の安全対策面で十分な機能を有する転倒防止機能付ラックを提供する。【解決手段】薄型表示装置の転倒防止機能付ラックは、２つの脚及び脚の上部に水平方向に連結された上端枠から成るスライド式固定器具を備え、スライド式固定器具は装置を背後から固定するための部材を有しておりラック本体に固定された薄型表示装置載置台の垂直方向にスライド可能であることを特徴とする。【選択図】図１
0003162864.tif 000002
【実用新案登録請求の範囲】
【請求項１】
薄型表示装置の転倒防止機能付ラックであって、２つの脚及び該脚の上部に水平方向に連結された上端枠から成るスライド式固定器具を備え、該スライド式固定器具は該装置を背後から固定するための部材を有しておりラック本体に固定された薄型表示装置載置台の垂直方向にスライド可能であることを特徴とする、前記転倒防止機能付ラック。
【請求項２】
スライド式固定器具の２つの脚がラック本体支柱に垂直方向に移動可能に連結されていることを特徴とする、請求項１記載の転倒防止機能付ラック。
【請求項３】
ラック本体の支柱内にスライド式固定器具の２つの脚が夫々に嵌入され、固定用金具によってラック本体の支柱にスライド式固定器具の脚が固定されることを特徴とする、請求項２記載の転倒防止機能付ラック。
【請求項４】
ラック本体に、更に、一つ又は複数の架台が固定されていることを特徴とする、請求項１ないし３のいずれか一項に記載の転倒防止機能付ラック。
【請求項５】
表示装置載置台及び架台に配線通過用孔が設けられていることを特徴とする、１ないし４のいずれか一項に記載の転倒防止機能付ラック。
【請求項６】
最下段の架台の下面に移動補助手段が設けられていることを特徴とする、１ないし５のいずれか一項に記載の転倒防止機能付ラック。
【考案の詳細な説明】
【技術分野】
【０００１】
本考案は、大画面の薄型テレビ及びパーソナルコンピュータ（ＰＣ）のディスプレイ装置等の薄型表示装置の転倒を防止するに有効な機能を備えたラック（架台）に関する。
【背景技術】
【０００２】
近年、液晶（Liquid Crystal Display）モニタ、プラズマ表示パネル（Plasma Display Panel）モニタ、及び、有機ＥＬ（Electro Luminescence）モニタ等の薄型の表示装置を備えた大型テレビ又はＰＣが普及している。このような表示装置は、一般に、大型で薄型の表示装置本体と、この下端中央部分から下方に延びている支持脚と、支持脚の下端に取り付けた水平な支持板とを備えた自立型構造となっている。
【０００３】
従って、このような薄型の表示装置は、例えばブラウン管を利用した表示装置と比して、地震等の衝撃又は揺れに対して極めて不安定である。特に大画面のテレビがテレビ設置台に据え置かれている場合に地震が発生すると、大画面テレビは画面前方のテレビの視聴者目掛けて設置面を滑ったり、転倒して視聴者の上に落下する危険性がある。
【０００４】
そこで、これまでにも、そのような地震等の衝撃又は揺れによる転倒を防止するための種々の提案がなされている。例えば、平面テレビやＰＣの表示装置を設置面又は壁面等に固定することによって地震等の衝撃又は揺れによる転倒を防止するための種々の提案がなされている。
【０００５】
例えば、特許文献１には、平面テレビ、表示装置の裏面に固定された部材と設置面に固定された部材をベルトで繋ぎ止めることにより転倒を防止する転倒防止器具が記載されている。
【０００６】
特許文献２には、家具本体の背部に支柱を立設し、この支柱間にボードを装着し、家具本体上に設置される薄型テレビの背部をこのボードに固定するようにして成ることを特徴とする薄型テレビの転倒防止機能付き家具が記載されている。
【０００７】
特許文献３には、地震などの揺れに対して平面テレビの転倒を防止するとともに、設置時にワイヤの長さの調整に工具を必要としない転倒防止具が記載されている。
【０００８】
特許文献４には、矩形状に形成された上面の中央よりも一の長辺側の所定位置に、複数の取付穴が設けられた２つのバンドのそれぞれ一端が取り付けられており、前記上面の中央よりも他の長辺側の所定位置で、前記バンドのそれぞれに設けられた取付穴のそれぞれ１つをまとめて掛止部材で掛止することを特徴とする、筺体形状のテレビ台が記載されている。
【０００９】
特許文献５には、ディスプレイ本体と、ディスプレイ本体の下端部からほぼ垂直に下方に延びている支持脚と、この支持脚の下端に取り付けた水平な支持板とを備えている自立型のディスプレイを載せるディスプレイ台であって、前記支持板を上方および後方から差し込み可能な水平ポケットを有し、この水平ポケットに差し込んだ前記支持板の上下の揺れが、当該水平ポケットの上面および下面によって拘束されることを特徴とする、ディスプレイ台が記載されている。
【先行技術文献】
【特許文献】
【００１０】
【特許文献１】特開２００６−３０４２３９
【特許文献２】特開２００８−１７３４０４
【特許文献３】特開２００８−２２８２６０
【特許文献４】特開２００９−１０４９０
【特許文献５】特開２００９−８９１９９
【考案の概要】
【考案が解決しようとする課題】
【００１１】
近年、学校・公民館等の公共施設における教室・会議室・講堂等の多数の人間が集まる場所において、大画面の平面テレビ及びパーソナルコンピュータ（ＰＣ）のディスプレイ装置等の薄型表示装置を設置・利用することが多くなっている。このような場合には、それらの表示装置を使用の状況に応じて適宜移動させて使用する必要がある。更に、多数の人間、特に、児童・生徒又は高齢者が一度に視聴するような教育現場においては、安全面に最大の注意が支払われる必要がある。
【００１２】
しかしながら、このような従来の器具・装置等は、主に、一般家庭において、テレビ等の表示装置を居間等の比較的狭い空間内の定まった場所に設置することを前提として、その転倒等の危険を防止するために使用されるものである。従って、従来の器具・装置等は、学校・公民館等の公共施設における教室・会議室・講堂等の多数の人間が集まる場所において、大型で薄型の表示装置に対する転倒防止機能等の安全対策面で十分な機能を発揮するものとはいえなかった。
【課題を解決するための手段】
【００１３】
本考案は、上記の課題を解決するために考案されたものである。
即ち、本考案は、薄型表示装置の転倒防止機能付ラックであって、２つの脚及び該脚の上部に水平方向に連結された上端枠から成るスライド式固定器具を備え、該スライド式固定器具は該装置を背後から固定するための部材を有しておりラック本体に固定された薄型表示装置載置台の垂直方向にスライド可能であることを特徴とする、前記転倒防止機能付ラックに係る。
【考案の効果】
【００１４】
本考案のラックは、固定器具がスライド式であるために各種サイズの大画面の薄型テレビ及びパーソナルコンピュータ（ＰＣ）のディスプレイ装置等の薄型表示装置に適用可能である。
又、使用する現場で、特別な道具を必要とせずに簡単な操作によって、薄型表示装置を本考案のラックへ確実に且つ容易に固定することが出来る。
更に、ラック自体がシンプル、頑丈な構造であるので安全性が高く、且つ、表示装置を固定したままの状態でラックを簡単に移動させることが可能である。
【図面の簡単な説明】
【００１５】
【図１】薄型表示装置（１３）を固定する前の状態であってスライド式固定器具（４）が薄型表示装置載置台（６）の面上に位置する場合と、薄型表示装置（１３）を固定する際に薄型表示装置載置台（６）の垂直上方にスライド式固定器具（４）を伸長させた場合の２つの状態を含む、本考案に係る転倒防止機能付ラック（１）を示す。
【図２】本考案に係る転倒防止機能付ラック（１）に薄型表示装置（１３）を固定する一例を示した概略図である。
【考案を実施するための形態】
【００１６】
以下、図面に即して、本考案を具体的に説明する。
本考案である、薄型表示装置（１３）の転倒防止機能付ラック（１）は、２つの脚（２）及び該脚の上部に水平方向に連結された上端枠（３）から成るスライド式固定器具（４）を備えており、該スライド式固定器具（４）は該装置を背後から固定するための固定用部材Ａ（８）を有しており、且つ、該スライド式固定器具（４）はラック本体（５）に固定された薄型表示装置載置台（６）の垂直方向にスライド可能であることを特徴とする。
【００１７】
スライド式固定器具（４）を薄型表示装置載置台（６）の垂直方向に自在にスライドさせるための手段としては、例えば、スライド式固定器具（４）の２つの脚（２）を垂直方向に伸長するラック本体の支柱（７）の２つに夫々垂直方向に移動可能に連結させる機構を挙げることが出来る。こうすることによって、表示装置の大きさ等に応じて、例えば、該載置台（６）の上方６００ｍｍ程度まで伸長させることが可能である。
【００１８】
スライド式固定器具（４）の２つの脚（２）とラック本体の支柱（７）との垂直方向への移動可能な連結は当業者に公知の任意の手段によって行うことが出来る。例えば、ラック本体の支柱（７）内にスライド式固定器具（４）の２つの脚（２）の夫々が嵌入（嵌挿）されており、スライド式固定器具（４）が薄型表示装置載置台（６）の上方の任意の高さになるまで伸長した状態で振れがなく固定されるように、スライド式固定器具（４）の２つの脚（２）とラック本体の支柱（７）に設けられた孔を通じてネジ等の適当な固定用部材Ｂ（９）によって、ラック本体の支柱（７）にスライド式固定器具（４）の脚（２）を固定させることが出来る。
【００１９】
スライド式固定器具（４）の上端枠（３）に設けられる表示装置を背後から固定するための固定用部材Ａ（８）は薄型表示装置載台（６）の上に設置した薄型表示装置（１３）をスライド式固定器具の上端枠（３）に固定することができるような、当業者に公知の任意の手段である。例えば、薄型表示装置の背面に設けられている固定用金具取付用ナットの位置に合うような適当な間隔（例えば、５０〜８００ｍｍ）で上端枠（３）に複数のネジ孔を設け、固定用金具取付用ナットの位置と一致する上端枠（３）のネジ孔を介してスライド式固定器具（４）の上端枠（３）の外側からネジで締めることによって、スライド式固定器具（４）の上端枠（３）に薄型表示装置（１３）を簡単且つ確実に固定することが出来る。
【００２０】
又、ラック本体（５）には、薄型表示装置載置台（６）の他に、例えば、各種のビデオ装置等の関連装置又は器具を載置する為に一つ又は複数の架台（１２）を固定することも可能である。又、垂直方向に伸長するラック本体の支柱（７）はスライド式固定器具（４）と移動可能に連結しているものの他に、薄型表示装置載置台（６）及び架台（１２）等を支えるに十分な適当な数（例えば、２つ）を備えることが好ましい。
【００２１】
更に、使用上の利便性等を考慮して、薄型表示装置載置台（６）及び／又は架台（１２）には薄型表示装置用の配線貫通用孔（１０）等の適当な手段を適宜、設けることが可能である。
【００２２】
更に、最下段の架台の下面にキャスター等の当業者に公知の適当な移動補助手段（１１）を設けることによって、大型の薄型表示装置（１３）を固定した状態でも、本考案の転倒防止機能付ラックを楽に移動させることが可能となる。
【００２３】
本考案は以下のように使用することが出来る。
まず、スライド式固定器具（４）を適当な高さに引き上げた後に、表示装置載置台（６）の上の薄型表示装置（１３）を載置する。その後、スライド式固定器具（４）を薄型表示装置載置台（６）の垂直方向にスライドさせて、薄型表示装置（１３）の背面に設けられている固定用金具取付用ナットの位置に上端枠（３）に設けられたネジ孔等の固定用部材Ａ（８）の位置が一致するようにスライドさせてスライド式固定器具（４）の高さを調整し、ネジ孔を介してスライド式固定器具（４）の上端枠（３）の外側からネジ等で締めることによって、スライド式固定器具（４）の上端枠（３）に薄型表示装置（１３）を固定する。最後に、スライド式固定器具（４）の２つの脚（２）とラック本体の支柱（７）に設けられた孔を通じてネジ等の適当な固定用部材Ｂ（９）によって、ラック本体の支柱（７）にスライド式固定器具（４）の脚（２）を固定する。
【００２４】
本考案に係る転倒防止機能付の転倒防止機能付ラック（１）及びそれを構成する各部材の大きさ・形状・厚み・材質等に特に制限はない。例えば、薄型表示装置載置台（６）及び架台（１２）は幅９０ｃｍｘ奥行６０ｃｍ程度であり、それぞれが同じ大きさである必要はない。本体全体のサイズとしては、高さ１１０ｃｍｘ幅９０ｃｍｘ奥行６０ｃｍ（スライド式固定器具は含まず）であれば、通常、幅１３０ｃｍ程度（約９０inch）程度のＶＥＳＡ規格等の大型の薄型テレビ等の表示装置も固定することが可能である。又、スライド式固定器具（４）の２つの脚（２）及び上端枠（３）、並びに、ラック本体の支柱（７）は断面の一辺が数センチ程度の角状の部材とすることが出来る。又、転倒防止機能付ラック（１）は、構造上の十分な強度を確保するために、スチール製等の頑丈な材質から作製することが好ましい。
【産業上の利用可能性】
【００２５】
学校・公民館等の公共施設における教室・会議室・講堂等の多数の人間が集まる場所において、本考案の転倒防止機能付ラックを利用することによって、大画面の平面テレビ及びパーソナルコンピュータ（ＰＣ）のディスプレイ装置等の薄型表示装置を安全且つ簡便に設置・利用する機会を提供する。
【符号の説明】
【００２６】
１  転倒防止機能付ラック
２  スライド式固定器具の脚
３  スライド式固定器具の上端枠
４  スライド式固定器具
５  ラック本体
６  薄型表示装置載置台
７  ラック本体の支柱
８  固定用部材Ａ
９  固定用部材Ｂ
１０  配線貫通用孔
１１  移動補助手段
１２  架台
１３  薄型表示装置
【図１】
0003162864.tif 000003
【図２】
0003162864.tif 000004
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
薄型表示装置の転倒防止機能付ラックであって、２つの脚及び該脚の上部に水平方向に連結された上端枠から成るスライド式固定器具を備え、該スライド式固定器具は該装置を背後から固定するための部材を有しておりラック本体に固定された薄型表示装置載置台の垂直方向にスライド可能であることを特徴とする、前記転倒防止機能付ラック。
【請求項２】
スライド式固定器具の２つの脚がラック本体支柱に垂直方向に移動可能に連結されていることを特徴とする、請求項１記載の転倒防止機能付ラック。
【請求項３】
ラック本体の支柱内にスライド式固定器具の２つの脚が夫々に嵌入され、固定用金具によってラック本体の支柱にスライド式固定器具の脚が固定されることを特徴とする、請求項２記載の転倒防止機能付ラック。
【請求項４】
ラック本体に、更に、一つ又は複数の架台が固定されていることを特徴とする、請求項１ないし３のいずれか一項に記載の転倒防止機能付ラック。
【請求項５】
薄型表示装置載置台及び／又は架台に配線通過用孔が設けられていることを特徴とする、請求項１ないし４のいずれか一項に記載の転倒防止機能付ラック。
【請求項６】
最下段の架台の下面に移動補助手段が設けられていることを特徴とする、請求項４又は５に記載の転倒防止機能付ラック。
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
薄型表示装置の転倒防止機能付ラックであって、２つの脚及び該脚の上部に水平方向に連結された上端枠から成るスライド式固定器具を備え、該スライド式固定器具は該装置を背後から固定するための部材を有しておりラック本体に固定された薄型表示装置載置台の垂直方向にスライド可能であることを特徴とする、前記転倒防止機能付ラック。
【請求項２】
スライド式固定器具の２つの脚がラック本体支柱に垂直方向に移動可能に連結されていることを特徴とする、請求項１記載の転倒防止機能付ラック。
【請求項３】
ラック本体の支柱内にスライド式固定器具の２つの脚が夫々に嵌入され、固定用金具によってラック本体の支柱にスライド式固定器具の脚が固定されることを特徴とする、請求項２記載の転倒防止機能付ラック。
【請求項４】
ラック本体に、更に、一つ又は複数の架台が固定されていることを特徴とする、請求項１ないし３のいずれか一項に記載の転倒防止機能付ラック。
【請求項５】
薄型表示装置載置台及び／又は架台に配線通過用孔が設けられていることを特徴とする、請求項４記載の転倒防止機能付ラック。
【請求項６】
最下段の架台の下面に移動補助手段が設けられていることを特徴とする、請求項４又は５に記載の転倒防止機能付ラック。